(57)【要約】【課題】紫外光による劣化を抑制することで長寿命化を図るとともに消費電力の低減化を図ることができる電気光学装置及びその電気光学装置を備えた電子機器を提供する。【解決手段】基板Ｓの素子形成面Ｓａと対向する面（光出射面）Ｓｂ上に、可視光を透過し、且つ紫外光を吸収して起電力を生成する太陽電池２０を設けた。そして、太陽電池２０によって生成された起電力を対向電極１４に供給するようにした。【選択図】図１
2007242985.tif 000002
【特許請求の範囲】
【請求項１】
基板の一側面上に、第１の電極と、第２の電極と、前記第１の電極と前記第２の電極との間に配置された少なくとも発光層を含む機能層とを備えた電気光学素子を備え、前記発光層にて発した光を前記基板の光出射面側から出射する電気光学装置において、
前記光出射面側に、前記電気光学素子から出射された光を透過し、且つ、紫外光を吸収して起電力を生成し、その生成した起電力を前記第１の電極及び前記第２の電極のいずれか一方に供給する太陽電池を設けたことを特徴とする電気光学装置。
【請求項２】
請求項１に記載の電気光学装置において、
前記第１の電極及び前記基板は、それぞれ、光透過性を有し、
前記光出射面は、前記電気光学素子が備えられた前記基板の一側面と対向する側面であることを特徴とする電気光学装置。
【請求項３】
請求項１に記載の電気光学装置において、
前記第２の電極は、光透過性を有し、
前記電気光学素子が備えられた前記基板の一側面は、前記光出射面であることを特徴とする電気光学装置。
【請求項４】
請求項１〜３のいずれか一つに記載の電気光学装置において、
前記機能層は、有機材料で構成されていることを特徴とする電気光学装置。
【請求項５】
請求項４に記載の電気光学装置において、
前記発光層は、蛍光低分子材料、蛍光低分子材料、燐光低分子材料若しくはデンドリマー材料を含んでいることを特徴とする電気光学装置。
【請求項６】
請求項１〜５のいずれか一つに記載の電気光学装置において、
前記太陽電池は、珪素に酸化亜鉛をドープしたｎ型半導体層と、珪素に銅アルミ酸化物をドープしたｐ型半導体層とを接合したｐｎ接合部を備えていることを特徴とする電気光学装置。
【請求項７】
請求項１〜６のいずれか一つに記載の電気光学装置を備えたことを特徴とする電子機器。
【発明の詳細な説明】
【技術分野】
【０００１】
本発明は、電気光学装置及び電子機器に関するものである。
【背景技術】
【０００２】
近年、軽量化、広視野角、高応答性能等の観点から、有機エレクトロルミネッセンス素子（以下、「有機ＥＬ素子」を電気光学素子として使用した有機エレクトロルミネッセンスディスプレイ（以下、「有機ＥＬディスプレイ」という）が注目を集めている。このような有機ＥＬディスプレイは、携帯電話の表示画面、テレビ等の表示ディスプレイ、広告用ディスプレイ等といった電子機器への応用が考えられる。
【０００３】
この種の有機ＥＬ素子は、有機発光層を上下から陽極（画素電極）と陰極（対向電極）で挟み込む構造を持ち、各電極から注入されたキャリアが有機発光層にて再結合して発光させるものである。また、有機ＥＬ素子は、各電極と有機発光層との間に、それぞれ、輸送層や注入層といった有機機能層を挿入することで発光効率を向上させることが知られている（例えば、特許文献１参照）。
【特許文献１】特開２００３−２９７５５１号公報
【発明の開示】
【発明が解決しようとする課題】
【０００４】
ところで、上記有機ＥＬ素子を構成する発光層、輸送層及び注入層といった有機機能層は、一般に、紫外光によって変質しやすい。この結果、特に、携帯電話や広告用ディスプレイなど屋外で頻繁に使用する電子機器に適用した場合においては、外光に晒されることによりその外光に含まれる紫外光による影響が大きくなり、その結果、有機ＥＬ素子の寿命が短くなってしまうという問題があった。また、広告ディスプレイ等においては、その表示エリアの大面積化に伴って増大する消費電力を低減することが求められている。
【０００５】
本発明は、上記の問題点に鑑みなされたもので、紫外光による劣化を抑制することで長寿命化を図るとともに消費電力の低減化を図ることができる電気光学装置及びその電気光学装置を備えた電子機器を提供することにある。
【課題を解決するための手段】
【０００６】
本発明の電気光学装置は、基板の一側面上に、第１の電極と、第２の電極と、前記第１の電極と前記第２の電極との間に配置された少なくとも発光層を含む機能層とを備えた電気光学素子を備え、前記発光層にて発した光を前記基板の光出射面側から出射する電気光学装置において、前記光出射面側に、前記電気光学素子から出射された光を透過し、且つ、紫外光を吸収して起電力を生成し、その生成した起電力を前記第１の電極及び前記第２の電極のいずれか一方に供給する太陽電池を設けた。
【０００７】
これによれば、光出射面側から入射した光は、太陽電池によってその光に含まれる紫外光が吸収されるので、電気光学素子の機能層には紫外光が照射されない。この結果、電気光学素子の機能層は、紫外光によって劣化されないことから、電気光学素子の長寿命化を図ることができる。また、太陽電池によって生成された電力は電気光学素子に給電されるので、外部から電気光学素子に対して供給する電力を少なくしても輝度が低下することはないことから、省電力化を図ることができる。
【０００８】
この電気光学装置において、前記第１の電極及び前記基板は、それぞれ、光透過性を有し、前記光出射面は、前記電気光学素子が備えられた前記基板の一側面と対向する側面で
あってもよい。
【０００９】
これによれば、電気光学素子にて発せられた光を、基板を透過して外界に出射する、所謂ボトムエミッションタイプの電気光学装置に対して、その電気光学素子の長寿命化及び省電力化を向上させることができる。
【００１０】
この電気光学装置において、前記第２の電極は、光透過性を有し、前記電気光学素子が備えられた前記基板の一側面は、前記光出射面であってもよい。
これによれば、電気光学素子にて発せられた光を、基板を透過せずに第２電極を透過して外界に出射する、所謂トップエミッションタイプの電気光学装置に対して、その電気光学素子の長寿命化及び省電力化を向上させることができる。
【００１１】
この電気光学装置において、前記機能層は、有機材料で構成されていてもよい。
これによれば、電気光学素子が有機エレクトロルミネッセンス素子である電気光学装置に対して、その電気光学素子の長寿命化及び省電力化を向上させることができる。また、紫外光によって変質しやすい有機材料であっても使用することができることから、機能層の材料選択を広げることができる。
【００１２】
この電気光学装置において、前記発光層は、蛍光低分子材料、蛍光低高分子、燐光低分子材料若しくはデンドリマー材料を含んでいてもよい。
これによれば、蛍光低分子材料、蛍光低分子材料、燐光低分子材料若しくはデンドリマー材料を含んだ発光層を備えた有機エレクトロルミネッセンス素子の長寿命化及び低消費電力化を実現することができる。
【００１３】
この電気光学装置において、前記太陽電池は、珪素に酸化亜鉛をドープしたｎ型半導体層と、珪素に銅アルミ酸化物をドープしたｐ型半導体層とを接合したｐｎ接合部を備えていてもよい。
【００１４】
これによれば、太陽電池のバンドギャップは大きいので、紫外光を吸収され且つ発光層にて発せられた光のうち可視光領域の光を外界に出射させることができる。
本発明の電子機器は、上記記載の電気光学装置を備えている。
【００１５】
これによれば、長寿命・低消費電力の電気光学素子を備えた電子機器を提供することができる。
【発明を実施するための最良の形態】
【００１６】
（第１実施形態）
以下、本発明の一実施形態に係る電気光学装置としての有機ＥＬディスプレイについて図面に従って説明する。
【００１７】
図１は、本実施形態に係る有機ＥＬディスプレイの一部概略断面図である。有機ＥＬディスプレイ１０は、光透過性を有した基板Ｓを備えている。本実施形態では、基板Ｓは、無アルカリガラスで構成されている。また、本実施形態の有機ＥＬディスプレイ１０は、アクティブマトリクス駆動方式であって、前記基板Ｓ上には、各有機ＥＬ素子に供給する電流（キャリア）の量を制御するための図示しない駆動トランジスタ（薄膜トランジスタ）等といった各種回路素子が形成されている。
【００１８】
基板Ｓの一側面としての素子形成面Ｓａ上には、複数の第１電極としての画素電極１１がマトリクス状に配置形成されている。画素電極１１は、光透過性を有し、且つ、仕事関数の高い導電性材で構成されている。本実施形態においては、画素電極１１は、インジウ
ム−スズ酸化物（ＩＴＯ）で構成されている。各画素電極１１は、基板Ｓ上に形成された前記駆動トランジスタのドレイン電極に電気的に接続され、各駆動トランジスタによって制御された電流（キャリア）が供給されるようになっている。
【００１９】
また、基板Ｓの素子形成面Ｓａ上には、有機絶縁層１２が形成されている。有機絶縁層１２は、前記各画素電極１１の外周をそれぞれ囲むように形成され、それぞれ画素電極１１に対応した位置に凹部Ｑｏが形成されるようになっている。そして、各凹部Ｑｏによって画素領域が区画形成される。尚、本実施形態の有機絶縁層１２は、ポリイミドで構成されている。
【００２０】
各画素電極１１上には有機絶縁層１２の全面を覆うように機能層１３が配置されている。図２に示すように、機能層１３は、正孔輸送層１３ａ、発光層１３ｂ及び電子輸送層１３ｃから構成されており、画素電極１１側から正孔輸送層１３ａ→発光層１３ｂ→電子輸送層１３ｃの順に積層されている。各正孔輸送層１３ａ、発光層１３ｂ及び電子輸送層１３ｃは、公知の有機材料で構成されている。例えば、正孔輸送層１３ａは、トリフェニルアミン類、ビス類、ピラゾリン誘導体、スチルベン化合物、オキサジアゾール誘導体、フタロシアニン誘導体といった有機材料で構成されている。
【００２１】
また、発光層１３ｂは、公知の蛍光低分子材料、蛍光低分子材料、燐光低分子材料若しくはデンドリマー材料を含んだ有機材料で構成されている。発光層１３ｂとしては、ポリパラフェニレンビニレン誘導体、ポリチオフェン誘導体、ポリパラフェニレン誘導体、ポリシラン誘導体、ポリアセチレン誘導体ポリビニルオカルバゾール誘導体、ポリフルオレン誘導体等を主体とした材料で構成されている。また、これら有機材料に色素となる材料を含有したものであってもよい。
【００２２】
電子輸送層１３ｃは、オキサジオール類、アルミニウムキノリノール錯体等で構成されている。尚、機能層１３を構成する各層１３ａ〜１３ｃは、上記各種有機材料を所定の有機溶剤に溶解または分散させてなる液状体（インク滴）を順次基板Ｓ上に塗布し、その後、乾燥させる工程を繰り返すことで形成した、液体プロセス法によって形成したものである。
【００２３】
また、図１に示すように、機能層１３上の全面には、第２の電極としての対向電極１４が形成されている。対向電極１４は、光反射性を有し、かつ仕事関数の低い導電性材料で構成されている。本実施形態では、マグネシウム−銀（Ｍｇ−Ａｇ）で構成されている。そして、各画素電極１１と、対向電極１４と、前記画素電極１１と前記対向電極１４との間に配置された機能層１３とで一つの電気光学素子としての有機ＥＬ素子１５が構成されている。
【００２４】
対向電極１４の上方には、封止部材１６が設けられている。この封止部材１６は、基板Ｓの周縁部に接続することで各有機ＥＬ素子１５を外界の雰囲気と遮断するものである。また、封止部材１６は、その有機ＥＬ素子１５側の一側壁にシリカゲルといった吸湿剤が設けられ、基板Ｓに内在した水分を吸湿し水分による機能層１３の劣化を抑制している。さらに、封止部材１６は、紫外光を透過しない公知の材料で構成されている。
【００２５】
そして、画素電極１１から正孔輸送層１３ａを介してキャリア（正孔）が発光層１３ｂに注入されるとともに、対向電極１４から電子輸送層１３ｃを介してキャリア（電子）が発光層１３ｂに注入されると、発光層１３ｂにて再結合が生じて光が生成される。そして、その光は、画素電極１１及び基板Ｓを透過して素子形成面Ｓａと対向する面Ｓｂに向かって出射する。つまり、この有機ＥＬディスプレイ１０は、素子形成面Ｓａと対向する面Ｓｂを光出射面とした、所謂ボトムエミッションタイプである。
【００２６】
一方、基板Ｓの素子形成面Ｓａと対向する面（光出射面）Ｓｂ上には、太陽電池２０が設けられている。太陽電池２０は、可視光を透過する光透過性を有し、且つ、紫外光を吸収して起電力を生成する半導体層２１を、２つの可視光に対する光透過性を有した電極層２２ａ，２２ｂで挟んだ形態を成している。
【００２７】
詳しくは、半導体層２１は、本実施形態では、珪素（Ｓｉ）に酸化亜鉛を所定量ドープして形成された材料でｎ型半導体層２１ａと珪素（Ｓｉ）に銅アルミ酸化物を所定量ドープして形成された材料でｐ型半導体層２１ｂとが接合したｐｎ接合部を有している。尚、半導体層２１のエネルギーギャップは、３５０ｎｍ〜４５０ｎｍの波長の光（つまり、紫外光）のエネルギーに相当したワイドバンドギャップである。
【００２８】
また、電極層２２ａは、図示しない配線層を介して対向電極１４に電気的に接続されている。従って、太陽電池２０にて生成された起電力は、対向電極１４に供給されることとなる。尚、有機ＥＬディスプレイ１０は、太陽電池２０を有機ＥＬ素子１５と別途作成し、それを基板Ｓの光出射面Ｓｂに貼り合わせることで形成されたものである。
【００２９】
次に、上記のように構成された有機ＥＬディスプレイ１０の作用について図３に従って説明する。
図３は、有機ＥＬディスプレイ１０の作用を説明するための図である。前述したように、太陽電池２０は、ワイドバンドギャップを有したｐｎ接合部を有しているため、可視光を透過し、且つ、紫外光を吸収して起電力を生成する。従って、基板Ｓの光出射面Ｓｂ側から外光Ｐｏが入射すると、太陽電池２０によって紫外光が吸収されることから可視光Ｐ１（図３中２点鎖線で示す）のみが機能層１３に到達する。この結果、機能層１３には、紫外光は照射されないので、機能層１３は、紫外光によって劣化することはない。
【００３０】
また、太陽電池２０によって生成された起電力は、対向電極１４に供給されることから、太陽電池２０によって生成された起電力（キャリア）は有機ＥＬ素子１５の発光層１３ｂに供給される。
【００３１】
さらに、機能層１３（発光層１３ｂ）から発せられた光Ｐ２（図３中一点鎖線で示す）は、画素電極１１及び基板Ｓを順次透過して太陽電池２０に入射するが、この太陽電池２０は、ワイドバンドギャップを有しているため、可視光は太陽電池２０を透過して外界に出射される。尚、機能層１３（発光層１３ｂ）から発せられた光Ｐ１に含まれる紫外光は、太陽電池２０によって吸収されて電力に変換され、対向電極１４に供給されることとなる。
【００３２】
上記したように、本実施形態によれば、以下の効果を奏する。
（１）本実施形態によれば、基板Ｓの素子形成面Ｓａと対向する面Ｓｂを光出射面とし、その面Ｓｂ上に、可視光を透過し、且つ紫外光を吸収して起電力を生成してその生成した起電力を対向電極１４に供給する太陽電池２０を設けた。従って、面（光出射面）Ｓｂ側から入射した外光のうち、紫外光は太陽電池２０によって吸収されるために、有機ＥＬ素子１５の機能層１３には、紫外光が到達しない。この結果、機能層１３は紫外光に晒されないので、紫外光によって機能層１３が劣化することはない。従って、有機ＥＬ素子１５の長寿命化を図ることができる。
（２）本実施形態によれば、太陽電池２０は、紫外光を吸収して起電力を生成してその生成した起電力を対向電極１４に供給することから、太陽電池２０によって生成された起電力分だけ消費電力の低減を図ることができる。
（３）本実施形態によれば、画素電極１１及び基板Ｓをそれぞれ光透過性を有した材料で構成し、有機ＥＬ素子１５から出射した光を、基板Ｓを透過して基板Ｓの素子形成面Ｓａ
と対向する側の面である光出射面Ｓｂから外界に出射するようにした。従って、このような、所謂ボトムエミッションタイプとした有機ＥＬディスプレイ１０に対して、その有機ＥＬ素子１５の長寿命化及び省電力化を向上させることができる。
（４）本実施形態によれば、機能層１３を構成する正孔輸送層１３ａ、発光層１３ｂ及び電子輸送層１３ｃは、それぞれ、公知の有機材料で構成した。従って、機能層１３を構成する有機材料を、紫外光に対して変質しやすい材料であっても使用することができる。この結果、機能層１３に使用する有機材料の材料選択を広げることができる。従って、発光層１３ｂを、紫外光に対して変質しやすい蛍光低分子材料、蛍光低分子材料、燐光低分子材料若しくはデンドリマー材料を含んでいる有機材料で構成した有機ＥＬ素子１５であっても、その長寿命化及び低消費電力化を図ることができる。
（５）本実施形態によれば、太陽電池２０の半導体層２１を、ワイドバンドギャップを有した半導体材料で構成した。従って、太陽電池２０は、有機ＥＬ素子１５から発した光を外界に出射させながら、機能層１３に紫外光が照射されるのを抑制しつつ有機ＥＬ素子１５に電力を供給することができる。
（６）本実施形態によれば、太陽電池２０の半導体層２１を、珪素（Ｓｉ）に酸化亜鉛をドープして形成された材料でｎ型半導体層２１ａと、また、珪素（Ｓｉ）に銅アルミ酸化物をドープして形成された材料でｐ型半導体層２１ｂとで構成した。従って、有機ＥＬ素子１５から発した光を外界に出射させながら、機能層１３に紫外光が照射されるのを抑制しつつ有機ＥＬ素子１５に電力を供給する太陽電池を実現することができる。
（第２実施形態）
次に、本発明を具体化した第２実施形態に係る有機ＥＬディスプレイ３０について図４及び図５に従って説明する。尚、本実施形態においては、上記第１実施形態に係る有機ＥＬディスプレイ１０と同じ部材については、第１実施形態に係る有機ＥＬディスプレイ１０と同じ符号を付し、その詳細な説明を省略する。
【００３３】
本実施形態に係る有機ＥＬディスプレイ３０は、光出射面Ｓｂを、素子形成面Ｓａと同じ側面とした、所謂トップエミッションタイプである。そして、太陽電池２０は、素子形成面Ｓａ側に設けられている。
【００３４】
詳しくは、図４に示すように、太陽電池２０は、上記第１実施形態と同様に、可視光を透過する光透過性を有し、且つ、紫外光を吸収して起電力を生成する半導体層２１を、２つの可視光に対する光透過性を有した電極層２２ａ，２２ｂで挟んだ形態を成している。
【００３５】
また、太陽電池２０の電極層２２ａは、本実施形態では、機能層１３上に形成されている。つまり、本実施形態では、太陽電池２０の電極層２２ａは、画素電極１１と対向して配置され、機能層１３にキャリア（電子）を注入する対向電極として機能する。従って、太陽電池２０にて生成された起電力は、直接、機能層１３に供給される。
【００３６】
さらに、本実施形態の画素電極１１は、光反射性を有した導電性材料で構成されている。本実施形態では、画素電極１１をクロム（Ｃｒ）あるいはアルミニウム（Ａｌ）で構成している。また、封止部材１６は、光透過性を有した材料で構成されている。封止部材１６は、たとえば、アクリル樹脂で構成されている。
【００３７】
そして、画素電極１１から正孔輸送層１３ａを介してキャリア（正孔）が発光層１３ｂに注入されるとともに、電極層２２ａから電子輸送層１３ｃを介してキャリア（電子）が発光層１３ｂに注入されると、発光層１３ｂにて再結合が生じて光が生成される。そして、その光は、太陽電池２０を透過して封止部材１６に向かって出射する。つまり、この有機ＥＬディスプレイ１０は、各有機ＥＬ素子１５にて発せられた光は素子形成面Ｓａと同じ側の面から出射する、所謂トップエミッションタイプである。
【００３８】
次に、上記のように構成された有機ＥＬディスプレイ３０の作用について図５に従って説明する。
図５は、有機ＥＬディスプレイ３０の作用を説明するための図である。前述したように、太陽電池２０は、ワイドバンドギャップを有したｐｎ接合部を有しているため、可視光を透過し、且つ、紫外光を吸収して起電力を生成する。従って、封止部材１６側から外光Ｐｏが入射すると、太陽電池２０によって紫外光が吸収されることから可視光Ｐ１（図５中２点鎖線で示す）のみが有機ＥＬ素子１５に到達する。この結果、有機ＥＬ素子１５には、紫外光は照射されないので、機能層１３は、紫外光によって劣化することはない。
【００３９】
また、太陽電池２０の電極層２２ａは機能層１３上に形成されているので、太陽電池２０にて生成された起電力（キャリア）は、機能層１３に供給される。従って、太陽電池２０によって生成された起電力分だけ消費電力を低減することができる。
【００４０】
さらに、太陽電池２０は、可視光に対する光透過性を有しているので、機能層１３（発光層１３ｂ）から発せられた光Ｐ２に含まれる可視光（図５中一点鎖線で示す）は太陽電池２０及び封止部材１６を透過して外界に出射する。尚、機能層１３（発光層１３ｂ）から発せられた光Ｐ１に含まれる紫外光は、太陽電池２０によって吸収されて電力に変換され、電極層２２ａを介して機能層１３に供給されることとなる。
【００４１】
上記したように、本実施形態によれば、以下の効果を奏する。
（１）本実施形態によれば、基板Ｓの素子形成面Ｓａと同じ側に、可視光を透過し、且つ紫外光を吸収して起電力を生成してその生成した起電力を有機ＥＬ素子１５の機能層１３に供給する太陽電池２０を設けた。また、封止部材１６を、光透過性を有した材料で構成し、有機ＥＬ素子１５から出射した光を、太陽電池２０を透過して基板Ｓの素子形成面Ｓａと同じ側から外界に出射するようにした。従って、このような、所謂トップエミッションタイプとした有機ＥＬディスプレイ３０に対して、上記第１実施形態と同様に、各有機ＥＬ素子１５の長寿命化及び省電力化を向上させることができる。
（２）本実施形態によれば、太陽電池２０の電極層２２ａを機能層１３上に形成した。従って、太陽電池２０にて生成されたキャリア（電子）を、直接、機能層１３に供給することができることから、太陽電池２０による有機ＥＬ素子１５への給電効率を向上させることができる。
（第３実施形態）
次に、第１及び第２実施形態で説明した電気光学装置としての有機ＥＬディスプレイ１０，３０の電子機器の適用について図６に従って説明する。
【００４２】
図６は、電子機器の一例たる携帯電話の表示画面に適用した携帯電話４０の斜視構成図である。図６において、この携帯電話４０は、有機ＥＬディスプレイ１０，３０を用いた表示ユニット４１と、複数の操作ボタン４２とを備えている。この場合でも、有機ＥＬディスプレイ１０，３０を用いた表示ユニット４１は、光出射面Ｓｂ上に太陽電池２０（図１及び図４参照）を備えている。従って、長寿命で且つ低省電力な表示ユニット４１を備えた携帯電話４０を実現できる。
【００４３】
尚、この発明は以下のように変更して具体化することもできる。
・上記各実施形態では、機能層１３は、発光層１３ｂ以外に正孔輸送層１３ａ及び電子輸送層１３ｃを備えていたが、本発明はこれに限定されるものではなく、例えば、発光層１３ｂ以外に正孔輸送層１３ａ及び電子輸送層１３ｃ以外に正孔注入層や電子注入層を含んでいてもよい。要は、機能層１３は、発光層１３ｂを含んでいればよい。
【００４４】
・上記各実施形態では、有機ＥＬ素子１５の機能層１３を構成する正孔輸送層１３ａ及び発光層１３ｂを液体プロセス法によって形成したが、本発明はこれに限定されず、公知
の蒸着法やスパッタ法を使用して形成してもよい。
【００４５】
・上記各実施形態では、電気光学素子として有機ＥＬ素子１５を使用したが、本発明はこれに限定されるものではなく、他の形態を成した発光素子であってもよい。たとえば、発光ダイオードであってもよい。
【００４６】
・上記各実施形態では、機能層１３を構成する各層１３ａ〜１３ｃは、それぞれ、有機材料で構成したが、本発明はこれに限定されない。無機材料で機能層１３を構成する各層１３ａ〜１３ｃが構成されたものであってもよい。
【００４７】
・上記各実施形態では、太陽電池２０の半導体層２１を、珪素（Ｓｉ）に酸化亜鉛をドープして形成された材料でｎ型半導体層２１ａと、また、珪素（Ｓｉ）に銅アルミ酸化物をドープして形成された材料でｐ型半導体層２１ｂとで構成したが。本発明はこれに限定されるものではない。要は、可視光を透過するとともに、紫外光を吸収して起電力を生成する太陽電池であればよい。
【図面の簡単な説明】
【００４８】
【図１】第１実施形態に係る有機ＥＬディプレイの構成を説明するための図。
【図２】有機ＥＬ素子の機能層の構成を説明するための図。
【図３】第１実施形態に係る有機ＥＬディプレイの作用を説明するための図。
【図４】第２実施形態に係る有機ＥＬディプレイの構成を説明するための図。
【図５】第２実施形態に係る有機ＥＬディプレイの作用を説明するための図。
【図６】第１及び第２実施形態に係る有機ＥＬディプレイの電子機器への適用した携帯電話の斜視図。
【符号の説明】
【００４９】
Ｓ…基板、Ｓａ…一側面、Ｓｂ…光出射面、１１…第１の電極としての画素電極、１３…機能層、１３ｂ…発光層、１４…第２の電極としての対向電極、１５…電気光学素子としての有機エレクトロルミネッセンス素子、１０，３０…電気光学装置としての有機エレクトロルミネッセンスディスプレイ、２０…太陽電池、４０…電子機器としての携帯電話。
【図１】
2007242985.tif 000003
【図２】
2007242985.tif 000004
【図３】
2007242985.tif 000005
【図４】
2007242985.tif 000006
【図５】
2007242985.tif 000007
【図６】
2007242985.tif 000008